(57)【要約】【課題】  摺動部材と抜止部材とを連結する治具が必要無く、連結作業のばらつきによる摺動部材の板状部材の厚さ方向のガタ付きが発生せず、摺動部材と抜止部材との連結を解除することが可能な摺動機構又は撮像装置の提供。【解決手段】  摺動部材３の係止爪３３と、抜止部材７の被係止部とを係止して摺動部材３と抜止部材７とを連結するようにした。また、摺動部材３の一端側と他端側との形状を異ならせた。また、板状部材５に設けられた溝部内に摺動部材３を配し、摺動部材３は、溝部の側壁部と対向する面に凸部３４を備えるようにした。溝部の端部の縁にリブを設けるようにした。溝部の端部と摺動部材３の端部とを同様の形状にした。【選択図】        図３
2006012463.tif 000002
【特許請求の範囲】
【請求項１】
略矩形の貫通孔が形成された板状部材の一面側に配され、前記貫通孔に摺動可能に取付けてある摺動部材と、前記板状部材の他面側に配され、前記貫通孔を通じて前記摺動部材に連結してある抜止部材とを備え、前記摺動部材を前記貫通孔の長手方向の中央部に向けて付勢するように構成してある摺動機構において、
前記摺動部材は、前記貫通孔の長手方向の一端側と他端側との形状を異ならせてあり、しかも前記貫通孔を挿通する係止爪を備え、
前記抜止部材は、前記係止爪に係止される被係止部を備える
ことを特徴とする摺動機構。
【請求項２】
前記貫通孔は、前記板状部材の前記一面側に形成された溝部の底部に、長手方向が前記溝部の長手方向と略同一になるように形成してあり、
前記摺動部材は、前記溝部に収容され、溝部の側壁部に対向する面に凸部を備える
ことを特徴とする請求項１に記載の摺動機構。
【請求項３】
略矩形の貫通孔が形成された板状部材の一面側に配され、前記貫通孔に摺動可能に取付けてある摺動部材と、前記板状部材の他面側に配され、前記貫通孔を通じて前記摺動部材に連結してある抜止部材とを備え、前記摺動部材を前記貫通孔の長手方向の中央部に向けて付勢するように構成してある摺動機構において、
前記貫通孔は、前記板状部材の前記一面側に形成された溝部の底部に、長手方向が前記溝部の長手方向と略同一になるように形成してあり、
前記摺動部材は、前記溝部に収容され、溝部の側壁部に対向する面に設けてある凸部と前記貫通孔を挿通する係止爪とを備え、
前記抜止部材は、前記係止爪に係止される被係止部を備える
ことを特徴とする摺動機構。
【請求項４】
前記溝部の長手方向の端部の縁にリブを設けてあることを特徴とする請求項２又は請求項３に記載の摺動機構。
【請求項５】
前記溝部の長手方向の端部と、前記摺動部材の摺動方向の端部とは、同様の形状にしてあることを特徴とする請求項２乃至４の何れか一つに記載の摺動機構。
【請求項６】
撮像に関する操作部を備える撮像装置において、
請求項１乃至５の何れか一つに記載の摺動機構を備え、該摺動機構の前記摺動部材を前記操作部としてあることを特徴とする撮像装置。
【請求項７】
略矩形の貫通孔が形成されたハウジングの外面側に配され、前記貫通孔に摺動可能に取付けてあるズーム操作部材と、前記ハウジングの内面側に配され、前記貫通孔を通じて前記ズーム操作部材に連結してある抜止部材とを備え、前記ズーム操作部材を前記貫通孔の長手方向の中央部に向けて付勢するように構成してある撮像装置において、
前記ズーム操作部材は、前記貫通孔を挿通する係止爪を備え、
前記抜止部材は、前記係止爪に係止される被係止部を備える
ことを特徴とする撮像装置。
【発明の詳細な説明】
【技術分野】
【０００１】
本発明は、略矩形の貫通孔が形成された板状部材の一面側に配された摺動部材と、板状部材の他面側に配され、貫通孔を通じて摺動部材に連結してある抜止部材とを備える摺動機構、及びこの摺動機構を備える撮像装置に関する。
【背景技術】
【０００２】
ビデオカメラ（デジタルビデオカメラを含む）又はカメラ（デジタルカメラを含む）等の撮像装置は、遠くの被写体を大きく撮像できるズーム機能を備えるものがあり、該ズーム機能の操作部に摺動機構を適用した撮像装置が従来からある（例えば、特許文献１参照。）。
【０００３】
図７は従来の操作部の平面図であり、図８は図７のVIII−VIII線による断面図である。
【０００４】
図において８０は操作部（摺動部材，ズーム操作部材）であり、操作部８０は、矩形の板状をなす基部８２を備えている。基部８２の一面には、滑り止めの凹凸が形成された指当接部８８が長手方向の略中央に凸設され、基部８２の他面には、角柱状をなす連結部８３が凸設してある。操作部８０は、撮像装置のハウジングを構成する板状部材９の一面（外面）側に設けられた溝部９０の長手方向の中央部に配され、操作部８０の連結部８３は、溝部９０の底部に形成されて溝部９０の長手方向に長い矩形の貫通孔９１を挿通している。溝部９０は長手方向の両端部が半円形状をしており、操作部８０は溝部９０の長手方向の一側又は他側へ摺動することが可能に構成されている。
【０００５】
板状部材９の他面（内面）側には、コイルスプリング８４が貫通孔９１の近傍で貫通孔９１の長手方向と略平行に配されている。コイルスプリング８４の両端部は、貫通孔９１の長手方向と略平行な直線上に位置するように、板状部材９の他面に所定の間隔を有して設けられた２つの突条９２,９２の互いに対向する端部に夫々当接している（図８には一方の端部及び突条９２を図示）。
【０００６】
コイルスプリング８４は、矩形の板状をなす抜止部材８１に一体形成された箱部８５内に導入され、コイルスプリング８４の両端部夫々に対向する箱部８５の壁８６，８６には、突条９２,９２に対応した切欠きが設けてある（図８には一方の壁８６を図示）。
【０００７】
抜止部材８１には、操作部８０の連結部８３に対応した嵌合孔８７が設けてあり、嵌合孔８７には、連結部８３が嵌め合わされ、抜止部材８１と連結部８３とが溶着されている。該溶着により操作部８０と抜止部材８１とが連結され、抜止部材８１により操作部８０が溝部９０内で長手方向へ摺動可能に保持された構成となっている。
【０００８】
このような構成により、ズーム機能を操作するために、操作部８０を溝部９０の中央部から長手方向の一側（又は他側）へ摺動させた場合、抜止部材８１が連動し、コイルスプリング８４の一端部側にある突条９２（又は他端部側にある突条９２）と、コイルスプリング８４の他端部に対向する箱部８５の壁８６（又は一端部に対向する箱部８５の壁８６）との間でコイルスプリング８４が圧縮される。操作部８０を摺動させるために加えた力を除けば、コイルスプリング８４の付勢力が箱部８５の壁８６を介して操作部８０に作用し、操作部８０が溝部９０の中央部まで後退する。
【特許文献１】特開平１０−２００８４４号公報
【発明の開示】
【発明が解決しようとする課題】
【０００９】
しかしながら、図７及び図８で示した従来の摺動機構は、操作部８０と抜止部材８１との連結を、嵌合孔８７に連結部８３を嵌め合わせて溶着することにより行うから、溶着治具及び受け治具が必要であり、コストが高いという問題があった。
【００１０】
また、溶着時の連結作業のばらつきにより、操作部８０に板状部材９の厚さ方向のガタ付きが発生する場合があるという問題があった。
【００１１】
また、操作部８０の連結部８３と抜止部材８１とを溶着した後、例えば、操作部８０に傷が付いて外観不良が発生した場合、操作部８０のみを交換することが非常に困難であるという問題があった。
【００１２】
また、操作部８０は、基部８２の長手方向の一端側と他端側とを反対にして組付けることが可能であるが、操作部８０の一端側に広角側を示すＷの文字を刻印すると共に、他端側に望遠側を示すＴの文字を刻印した場合に、操作部８０の一端側と他端側とを反対にして組付けたときには、操作部８０の表示と撮像装置の動作とがアンマッチになるという問題があった。
【００１３】
さらに、操作部８０の摺動方向の端部と、溝部９０の長手方向の端部とが同様の形状にされていないため、操作部８０を摺動した場合に、基部８２の角部が溝部９０の端部の半円形状の部分に当接し、操作部８０が溝部９０の端までストロークしないという問題があった。
【００１４】
本発明は斯かる事情に鑑みてなされたものであり、摺動部材と抜止部材とを係止によって連結することが可能な構成にすることにより、摺動部材と抜止部材とを連結するための治具が必要無く、連結作業のばらつきにより摺動部材に板状部材の厚さ方向のガタ付きが発生せず、摺動部材と抜止部材とを連結した後も、摺動部材と抜止部材との係止を解除して摺動部材を容易に交換することが可能な摺動機構又は撮像装置を提供することを目的とする。
【００１５】
また本発明は、摺動部材の一端側と他端側との形状を異ならせることにより、摺動部材の組付け間違いを目視によって容易に発見することが可能な摺動機構又は撮像装置を提供することを目的とする。
【００１６】
また本発明は、溝部の側壁部と摺動部材との隙間が狭くなるように構成することにより、摺動部材と抜止部材とを係止によって連結することが可能な構成にした場合に、溝部の側壁部の方へ押圧する力が摺動部材に加えられたときでも、摺動部材の倒れ角度が小さく、摺動部材と抜止部材との係止が解除されない摺動機構又は撮像装置を提供することを目的とする。
【００１７】
また本発明は、摺動部材と板状部材との間に針状物を差込み難く構成することにより、摺動部材と抜止部材とを係止によって連結することが可能な構成にした場合に、例えば、幼児が悪戯で摺動部材と板状部材との間に針状物を差込もうとしたときでも差込むことができず、摺動部材と抜止部材との係止が解除されない摺動機構又は撮像装置を提供することを目的とする。
【００１８】
さらに本発明は、溝部の長手方向の端部と、摺動部材の摺動方向の端部とを同様の形状にすることにより、摺動部材のストローク長さを溝部内で最大にすることが可能な摺動機構又は撮像装置を提供することを目的とする。
【課題を解決するための手段】
【００１９】
本発明に係る摺動機構は、略矩形の貫通孔が形成された板状部材の一面側に配され、前記貫通孔に摺動可能に取付けてある摺動部材と、前記板状部材の他面側に配され、前記貫通孔を通じて前記摺動部材に連結してある抜止部材とを備え、前記摺動部材を前記貫通孔の長手方向の中央部に向けて付勢するように構成してある摺動機構において、前記摺動部材は、前記貫通孔の長手方向の一端側と他端側との形状を異ならせてあり、しかも前記貫通孔を挿通する係止爪を備え、前記抜止部材は、前記係止爪に係止される被係止部を備えることを特徴とする。
【００２０】
本発明においては、貫通孔を挿通する摺動部材の係止爪と、抜止部材が備える被係止部とを係止することにより、板状部材の一面側に配された摺動部材と、板状部材の他面側に配された抜止部材とが連結される。この連結は、手作業にて行うことができ、摺動部材と抜止部材とを連結するための治具が不要である。また、摺動部材の板状部材の厚さ方向のガタ付きの発生は、摺動部材及び抜止部材の寸法精度に依存し、連結作業のばらつきに依存しない。さらに、係止爪と被係止部との係止を解除した場合には、摺動部材と抜止部材との連結が解除される。また、本発明においては、摺動部材は貫通孔の長手方向の一端側と他端側との形状を異ならせてある構成としてあり、摺動部材の一端側と他端側とを反対にして組付けた場合は、摺動部材を反対にして組付けたことを目視で識別することができる。
【００２１】
本発明に係る摺動機構においては、前記貫通孔は、前記板状部材の前記一面側に形成された溝部の底部に、長手方向が前記溝部の長手方向と略同一になるように形成してあり、前記摺動部材は、前記溝部に収容され、溝部の側壁部に対向する面に凸部を備えることを特徴とする。
【００２２】
本発明においては、摺動部材は、溝部の側壁部に対向する面に凸部を備える構成としてあり、溝部の側壁部と摺動部材との隙間が狭くなり、摺動部材が溝部の側壁部の方へ押圧された場合でも、摺動部材の倒れ角度が小さくなる。
【００２３】
本発明に係る摺動機構は、略矩形の貫通孔が形成された板状部材の一面側に配され、前記貫通孔に摺動可能に取付けてある摺動部材と、前記板状部材の他面側に配され、前記貫通孔を通じて前記摺動部材に連結してある抜止部材とを備え、前記摺動部材を前記貫通孔の長手方向の中央部に向けて付勢するように構成してある摺動機構において、前記貫通孔は、前記板状部材の前記一面側に形成された溝部の底部に、長手方向が前記溝部の長手方向と略同一になるように形成してあり、前記摺動部材は、前記溝部に収容され、溝部の側壁部に対向する面に設けてある凸部と前記貫通孔を挿通する係止爪とを備え、前記抜止部材は、前記係止爪に係止される被係止部を備えることを特徴とする。
【００２４】
本発明においては、貫通孔を挿通する摺動部材の係止爪と、抜止部材の被係止部とを係止して摺動部材と抜止部材とを連結した構成としてあり、係止爪と被係止部との係止が手作業にて行え、治具が不要となる。また、摺動部材と抜止部材との連結作業のばらつきに起因した摺動部材の板状部材の厚さ方向のガタ付きが発生しない。さらに、係止爪と被係止部との係止を解除して摺動部材と抜止部材との連結を解除することができる。また、本発明においては、摺動部材は、溝部の側壁部に対向する面に凸部を備える構成としてあり、摺動部材が溝部の側壁部の方へ押圧された場合でも、摺動部材の倒れ角度が小さくなる。
【００２５】
本発明に係る摺動機構においては、前記溝部の長手方向の端部の縁にリブを設けてあることを特徴とする。
【００２６】
本発明においては、溝部の長手方向の端部の縁にリブを設けてある構成としてあり、例えば、幼児が悪戯で摺動部材と溝部の底部との間に針状物を差込もうとした場合でも、針状物がリブに当接して溝部の底部に対する針状物の角度が起き上がり、摺動部材と溝部の底部との間に針状物を差込むことができない。
【００２７】
本発明に係る摺動機構においては、前記溝部の長手方向の端部と、前記摺動部材の摺動方向の端部とは、同様の形状にしてあることを特徴とする。
【００２８】
本発明においては、溝部の長手方向の端部と、摺動部材の摺動方向の端部とを同様の形状にした構成としてあり、摺動部材を溝部の端まで摺動させることができる。
【００２９】
本発明に係る撮像装置は、撮像に関する操作部を備える撮像装置において、前記発明の何れか一つに記載の摺動機構を備え、該摺動機構の前記摺動部材を前記操作部としてあることを特徴とする。
【００３０】
本発明においては、前述した本発明に係る摺動機構を何れか一つ備え、該摺動機構の摺動部材を操作部とした構成としてあり、操作部の連結に治具が不要である。また、連結作業に依存した操作部の板状部材の厚さ方向のガタ付きが発生せず、操作部と抜止部材との連結の解除も行える。
【００３１】
本発明に係る撮像装置は、略矩形の貫通孔が形成されたハウジングの外面側に配され、前記貫通孔に摺動可能に取付けてあるズーム操作部材と、前記ハウジングの内面側に配され、前記貫通孔を通じて前記ズーム操作部材に連結してある抜止部材とを備え、前記ズーム操作部材を前記貫通孔の長手方向の中央部に向けて付勢するように構成してある撮像装置において、前記ズーム操作部材は、前記貫通孔を挿通する係止爪を備え、前記抜止部材は、前記係止爪に係止される被係止部を備えることを特徴とする。
【００３２】
本発明においては、貫通孔を挿通するズーム操作部材の係止爪と、抜止部材の被係止部とを係止してズーム操作部材と抜止部材とを連結した構成としてあり、係止爪と被係止部との係止が手作業にて行え、治具が不要となる。また、ズーム操作部材と抜止部材との連結作業のばらつきに起因したズーム操作部材のハウジングの厚さ方向のガタ付きが発生しない。さらに、係止爪と被係止部との係止を解除してズーム操作部材と抜止部材との連結を解除することができる。
【発明の効果】
【００３３】
本発明に係る摺動機構においては、摺動部材は、貫通孔を挿通する係止爪を備え、抜止部材は、係止爪に係止される被係止部を備えたから、係止爪と被係止部とを手作業で係止して摺動部材と抜止部材とを連結することができる。従って、摺動部材と抜止部材との連結の為の治具が必要なくなってコストが低くなり、連結作業のばらつきに起因した摺動部材の板状部材の厚さ方向のガタ付きが発生せず、摺動部材と抜止部材とを連結した後も、係止爪と被係止部との連結を解除して摺動部材を容易に交換することができる。
【００３４】
また、本発明に係る摺動機構においては、摺動部材は、貫通孔の長手方向の一端側と他端側との形状を異ならせたから、摺動部材の一端側と他端側とを反対にして組付けたか否かを目視によって識別することができ、摺動部材の組付け間違いを容易に発見することができる。
【００３５】
また、本発明に係る摺動機構においては、摺動部材は、溝部の側壁部に対向する面に凸部を備えるから、溝部の側壁部と摺動部材との隙間が狭く、摺動部材が溝部の側壁部の方へ押圧された場合でも、摺動部材の倒れ角度が小さく、係止爪と被係止部との係止が解除されることがない。
【００３６】
また、本発明に係る摺動機構においては、溝部の長手方向の端部の縁にリブを設けてあるから、例えば、幼児が悪戯で摺動部材と溝部の底部との間に針状物を差込もうとした場合に、針状物がリブに当接して針状物の角度が起き上がり、摺動部材と溝部の底部との間に針状物を差込むことができない。従って、例えば、幼児の悪戯による針状物を差込んでの係止爪と被係止部との係止の解除を防止することができる。
【００３７】
また、本発明に係る摺動機構においては、溝部の長手方向の端部と、摺動部材の摺動方向の端部とは、同様の形状にしてあるから、摺動部材を溝部の端まで摺動させることができ、摺動部材のストローク長さを溝部内で最大にすることができる。
【００３８】
また、本発明に係る撮像装置においては、前述した本発明に係る摺動機構を何れか一つ備え、該摺動機構の摺動部材を操作部としてあるから、操作部に関するコストを抑制することができ、操作部と抜止部材との連結作業のばらつきに起因した操作部の板状部材の厚さ方向のガタ付きが発生せず、操作部と抜止部材とを連結した後も、操作部と抜止部材との連結を解除して操作部を容易に交換することができる。
【００３９】
さらに、本発明に係る撮像装置においては、ズーム操作部材は、貫通孔を挿通する係止爪を備え、抜止部材は、係止爪に係止される被係止部を備えたから、係止爪と被係止部とを手作業で係止してズーム操作部材と抜止部材とを連結することができる。従って、ズーム操作部材と抜止部材との連結の為の治具が必要なくなってコストが低くなり、連結作業のばらつきに起因したズーム操作部材のハウジングの厚さ方向のガタ付きが発生せず、ズーム操作部材と抜止部材とを連結した後も、係止爪と被係止部との連結を解除してズーム操作部材を容易に交換することができる。
【発明を実施するための最良の形態】
【００４０】
以下、本発明をその実施の形態を示す図面に基づいて詳述する。図１は、本発明に係る撮像装置であるビデオカメラの斜視図である。
【００４１】
図において１はビデオカメラ（撮像装置）であり、ビデオカメラ１は、矩形をなして適宜の厚みとされ、撮像用のレンズ群２２を有する撮像部２を備えている。撮像部２の一面側には、撮像部２に対して開閉可能に構成された液晶モニタ２０が設けられ、撮像部２の他面側には、撮像部２に対応した形状及び大きさを有し、撮像部２の厚みより薄く構成された把持部２１が並設されている。把持部２１は、撮像部２の他面の中央部を回転中心として所定の角度内で回転することが可能に構成されており、該構成により、低く構えた撮像から高く構えた撮像まで把持部２１を持ち替えずに行えるようにしてある。また、把持部２１には、ズーム機能を操作する操作部（摺動部材，ズーム操作部材）３が設けられており、操作部３には、本発明に係る摺動機構が適用されている。
【００４２】
図２は操作部３の近傍の平面図であり、図３は本発明に係る摺動機構の構成部品を把持部２１のハウジングの内部側から見た分解斜視図である。
【００４３】
操作部３は、合成樹脂により形成され、矩形の板状をなす基部３０を備えている。基部３０の一面には、滑り止めの凹凸が形成された指当接部３１が長手方向の一側へ偏倚した位置にて凸設してある。また、基部３０の一端部３５の一面側には、望遠側を示すＴの文字が刻印してあり、他端部３６の一面側には、広角側を示すＷの文字が刻印してある。基部３０の他面の中央部には、角柱状をなして可撓性を有する腕部の先端に掛止部が設けられた２つの係止爪３３，３３が、基部３０の長手方向に略直交する方向へ所定の間隔を隔てて並設してあり、前記掛止部は、腕部から互いに離反する方向へ突出している。
【００４４】
このような操作部３は、前述した把持部２１のハウジングを構成する板状部材５の一面（外面）５３側に設けられた溝部５０の長手方向の中央部に、長手方向を合わせると共に、基部３０の他面が溝部５０の底部５８に当接するように配される。溝部５０の底部５８には、長手方向を溝部５０の長手方向と略同一にし、長手方向の中央部５９を溝部５０の中央部と略同一にした矩形をなす２つの貫通孔５１，５１が係止爪３３，３３に対応して並設してある。
【００４５】
板状部材５の他面（内面）５７側には、コイルスプリング６が貫通孔５１，５１の間で溝部５０の長手方向と略平行に配されている。コイルスプリング６の両端部は、溝部５０の長手方向と略平行な直線上に位置するように所定の間隔を有して板状部材５の他面５７に設けられた２つの突条５２，５２の互いに対向する端部に夫々当接してあり、突条５２，５２の幅寸法は、コイルスプリング６の外径寸法より小さくしてある。
【００４６】
コイルスプリング６は、板状をなす抜止部材７の中央部に設けられた箱部７０内に導入され、コイルスプリング６の両端部夫々に対向する箱部７０の壁７１，７１には、突条５２，５２に対応した切欠きが設けてある。箱部７０の両側夫々には、操作部３の係止爪３３，３３に対応した位置に嵌合孔７２，７２が設けてあり、嵌合孔７２，７２の中途には段差（被係止部）７３，７３が設けてある(図４参照)。抜止部材７には、溝部５０の長手方向に略直交する方向へ突出する係止突起７４が設けてあり、係止突起７４は、ズーム倍率を変更する変更手段、例えば、レンズ群２２の一部のレンズを移動させるモータ８１に繋がる操作スイッチ８の操作レバー８０に係止される。
【００４７】
図４は、操作部３と抜止部材７との組付手順の説明図である。
【００４８】
以上の構成により、係止爪３３,３３が板状部材５の貫通孔５１，５１を挿通するように操作部３を溝部５０の長手方向の中央部に配し、係止爪３３,３３が抜止部材７の嵌合孔７２，７２に嵌合するように、しかも板状部材５の突条５２，５２に挾持されたコイルスプリング６が抜止部材７の箱部７０内に導入されるように抜止部材７を板状部材５の他面５７に当接することにより、操作部３と抜止部材７との組付けが行われる。この組付けにより、係止爪３３，３３が嵌合孔７２，７２の中途に設けてある段差７３，７３に係止して操作部３と抜止部材７とが連結され、操作部３が溝部５０の長手方向の一側又は他側へ摺動することが可能に保持される。
【００４９】
このように摺動することが可能に保持された操作部３を溝部５０の長手方向の中央部から長手方向の一側へ摺動させた場合、抜止部材７が同方向へ連動する。抜止部材７が連動することにより、コイルスプリング６の一端部側にある突条５２と、コイルスプリング６の他端部に対向する箱部７０の壁７１との間でコイルスプリング６が圧縮される。操作部３を溝部５０の長手方向の中央部から長手方向の他側へ摺動させた場合も、抜止部材７が同方向へ連動し、コイルスプリング６の他端部側にある突条５２と、コイルスプリング６の一端部に対向する箱部７０の壁７１との間でコイルスプリング６が圧縮される。このとき、抜止部材７は、操作スイッチ８の操作レバー８０を操作しており、該操作によりモータ８１が駆動されてズーム倍率が変更される。
【００５０】
操作部３を溝部５０の長手方向の一側又は他側へ摺動させるために加えた力を除けば、コイルスプリング６の付勢力が箱部７０の壁７１に作用して抜止部材７及び操作部３を溝部５０の長手方向の中央部（貫通孔５１，５１の長手方向の中央部５９）まで後退させる。このとき、抜止部材７の後退に応じて操作スイッチ８の操作レバー８０が中立位置に戻され、モータ８１が停止し、ズーム倍率の変更が停止する。
【００５１】
本発明に係る摺動機構は、操作部３が係止爪３３，３３を備え、抜止部材７が段差７３，７３を備え、係止爪３３，３３と段差７３，７３との係止により操作部３と抜止部材７とを連結する構成としたから、操作部３の係止爪３３,３３を抜止部材７の嵌合孔７２，７２に嵌め合わせることで、係止爪３３，３３と段差７３，７３とが係止し、操作部３と抜止部材７とが連結される。この連結は手作業にて行えるから、操作部３と抜止部材７とを連結するための治具が必要無く、本発明に係る摺動機構を低コストで構成することができる。
【００５２】
また、本発明に係る摺動機構は、係止爪３３,３３の腕部を撓ませて係止爪３３，３３と段差７３，７３との係止を解除することにより、操作部３と抜止部材７とを分離することができるから、例えば、操作部３に傷が付いて外観不良になった場合に、板状部材５及び抜止部材７を無駄にすることなく、操作部３のみを交換することができる。
【００５３】
さらに、本発明に係る摺動機構は、係止爪３３，３３と段差７３，７３との係止により操作部３と抜止部材７とが連結されるから、操作部３の板状部材５の厚さ方向のガタ付きの有無は、係止爪３３，３３及び段差７３，７３の寸法精度に左右され、連結作業に関係するばらつきに左右されない。従って、操作部３及び抜止部材７の寸法管理により、操作部３の板状部材５の厚さ方向のガタ付きの有無を管理することができるから、ガタ付き防止の管理が行い易い。
【００５４】
さらにまた、本発明に係る摺動機構は、操作部３の基部３０の一面に凸設した指当接部３１を長手方向の一側へ偏倚してあるから、操作部３は、長手方向の一端側と他端側との形状が異なり、操作部３の一端部３５と他端部３６とを反対にして組付けた場合に、組付け間違いを目視によって容易に発見することができる。
【００５５】
ところで、本発明に係る摺動機構は、その他にも特徴的な構成を備え、前述した効果以外にも優れた効果を奏する。
【００５６】
例えば、操作部３は、溝部５０の側壁部５４，５４に対向する面に凸部３４，３４を備える（図３、図４参照）。このような構成により、図４（ｂ）に示したように、側壁部５４，５４と操作部３との隙間Ｓが狭くなるから、操作部３が一方の側壁部５４に向けて押圧された場合でも、操作部３の倒れ角度が小さく、係止爪３３，３３と段差７３，７３との係止が解除されることがない。
【００５７】
また、本発明に係る摺動機構は、図５に示したように、溝部５０の長手方向の端部５５，５５の縁夫々にリブ５６，５６を設けてある。このような構成により、例えば、幼児が悪戯で操作部３と溝部５０の底部５８との間に針状物Ｐを差込もうとした場合でも、針状物Ｐがリブ５６，５６に当接して溝部５０の底部５８に対する針状物Ｐの角度θが起き上がるから、操作部３と溝部５０の底部５８との間に針状物Ｐを差込むことができず、係止爪３３，３３と段差７３，７３との係止が解除されることがない。
【００５８】
さらに、本発明に係る摺動機構は、溝部５０の長手方向の端部５５，５５と、操作部３の摺動方向の端部３５，３６とを同様の形状にしてある（図２参照）。このような構成により、操作部３は、溝部５０の端まで摺動することができ、溝部５０内でのストローク長さを最大にすることができる。
【００５９】
以上、本発明に係る摺動機構又は撮像装置を説明したが、本発明に係る摺動機構又は撮像装置は、前述した構成に限定されず、種々の変形例の適用が可能である。
【００６０】
例えば、本発明に係る摺動機構は、係止爪３３，３３と段差７３，７３との係止によって操作部３と抜止部材７とを連結した構成を特徴とし、前述したその他の特徴的な構成を備えないようにしてもよい。
【００６１】
また、本発明に係る摺動機構は、係止爪３３，３３と段差７３，７３との係止によって操作部３と抜止部材７とを連結した構成と、操作部３の摺動方向の一端側と他端側との形状を異ならせた構成とを特徴とし、前述したその他の特徴的な構成を備えないようにしてもよい。
【００６２】
さらに、本発明に係る摺動機構は、係止爪３３，３３と段差７３，７３との係止によって操作部３と抜止部材７とを連結した構成と、操作部３が凸部３４，３４を有する構成とを特徴とし、前述したその他の特徴的な構成を備えないようにしてもよい。
【００６３】
さらにまた、本発明に係る摺動機構は、係止爪３３，３３と段差７３，７３との係止によって操作部３と抜止部材７とを連結した構成と、操作部３の摺動方向の一端側と他端側との形状を異ならせた構成と、操作部３が凸部３４，３４を有する構成とを特徴とし、前述したその他の特徴的な構成を備えないようにしてもよい。
【００６４】
また、本発明に係る摺動機構は、係止爪３３，３３と段差７３，７３との係止によって操作部３と抜止部材７とを連結した構成と、操作部３が凸部３４，３４を有する構成と、溝部５０の端部５５，５５の縁にリブ５６，５６を設けてある構成とを特徴とし、前述したその他の特徴的な構成を備えないようにしてもよい。
【００６５】
さらに、本発明に係る摺動機構は、係止爪３３，３３と段差７３，７３との係止によって操作部３と抜止部材７とを連結した構成と、操作部３の摺動方向の一端側と他端側との形状を異ならせた構成と、操作部３が凸部３４，３４を有する構成と、溝部５０の端部５５，５５の縁にリブ５６，５６を設けてある構成とを特徴とし、前述したその他の特徴的な構成を備えないようにしてもよい。
【００６６】
さらにまた、本発明に係る摺動機構は、係止爪３３，３３と段差７３，７３との係止によって操作部３と抜止部材７とを連結した構成と、操作部３が凸部３４，３４を有する構成と、溝部５０の端部５５，５５と操作部３の端部３５，３６とを同様の形状にしてある構成とを特徴とし、前述したその他の特徴的な構成を備えないようにしてもよい。
【００６７】
また、本発明に係る摺動機構は、係止爪３３，３３と段差７３，７３との係止によって操作部３と抜止部材７とを連結した構成と、操作部３の摺動方向の一端側と他端側との形状を異ならせた構成と、操作部３が凸部３４，３４を有する構成と、溝部５０の端部５５，５５と操作部３の端部３５，３６とを同様の形状にしてある構成とを特徴とし、前述したその他の特徴的な構成を備えないようにしてもよい。
【００６８】
さらに、本発明に係る摺動機構は、係止爪３３，３３と段差７３，７３との係止によって操作部３と抜止部材７とを連結した構成と、操作部３が凸部３４，３４を有する構成と、溝部５０の端部５５，５５の縁にリブ５６，５６を設けてある構成と、溝部５０の端部５５，５５と操作部３の端部３５，３６とを同様の形状にしてある構成とを特徴とし、前述したその他の特徴的な構成を備えないようにしてもよい。
【００６９】
さらにまた、本発明に係る摺動機構は、係止爪３３，３３を操作部３に設け、段差７３，７３を抜止部材７に設けたが、係止爪３３，３３を抜止部材７に設け、段差７３，７３を操作部３に設けてもよい。
【００７０】
また、本発明に係る摺動機構は、図６に示したように、突条５２を１つとして該突条５２をコイルスプリング６の一端部に当接すると共に、抜止部材７の箱部７０の壁７１をコイルスプリング６の他端部に当接し、壁７１のコイルスプリング６側の反対側に設けたストッパにより、抜止部材７と操作部３とが、溝部５０の長手方向の一側にのみ摺動するように構成してもよい。
【００７１】
さらに、以上で説明した実施の形態では、ズーム機能を操作する操作部３に本発明に係る摺動機構を適用したが、本発明に係る摺動機構は、ズーム機能を操作する操作部３に限定されず、略矩形の貫通孔５１が形成された板状部材５の一面５３側に配され、貫通孔５１に摺動可能に取付けてある摺動部材３と、板状部材５の他面５７側に配され、貫通孔５１を通じて摺動部材３に連結してある抜止部材７とを備え、摺動部材３を貫通孔５１の長手方向の中央部５９に向けて付勢するように構成してある摺動機構に適用することが可能である。
【００７２】
さらにまた、以上で説明した実施の形態では、本発明に係る撮像装置をビデオカメラ１として説明したが、本発明に係る撮像装置は、ビデオカメラ１に限定されず、銀塩カメラ又はデジタルカメラ等を含む撮像装置に適用することが可能である。
【００７３】
また、本発明に係る摺動機構又は撮像装置は、本発明の趣旨に逸脱しない範囲にて一部の構成を追加、削除又は変更することも可能であることは言うまでもない。
【図面の簡単な説明】
【００７４】
【図１】本発明に係る撮像装置であるビデオカメラの斜視図である。
【図２】操作部の近傍の平面図である。
【図３】本発明に係る摺動機構の分解斜視図である。
【図４】操作部と抜止部材との組付手順の説明図である。
【図５】操作部の近傍の断面図である。
【図６】突条及び抜止部材が異なる変形例の構成を説明する説明図である。
【図７】従来の操作部の平面図である。
【図８】図７のVIII−VIII線による断面図である。
【符号の説明】
【００７５】
１  ビデオカメラ（撮像装置）
３  操作部（摺動部材，ズーム操作部材）
５  板状部材（ハウジング）
７  抜止部材
３３  係止爪
３４  凸部
３５  一端部
３６  他端部
５０  溝部
５１  貫通孔
５３  一面
５４  側壁部
５５  端部
５６  リブ
５７  他面
５８  底部
５９  中央部
７３  段差（被係止部）
【図１】
2006012463.tif 000003
【図２】
2006012463.tif 000004
【図３】
2006012463.tif 000005
【図４】
2006012463.tif 000006
【図５】
2006012463.tif 000007
【図６】
2006012463.tif 000008
【図７】
2006012463.tif 000009
【図８】
2006012463.tif 000010